(57)【要約】【課題】骨盤サポートバンド付きズボンであって、このタイプのズボンの利点をそのまま活かしつつ、骨盤サポートバンドによる骨盤の締めつけ力調整や使用者の体格に応じたバンド周長の調整を行える骨盤サポートバンド付きズボンを提供する。【解決手段】ズボン本体１と、ズボン本体穿き口１１に接続された環状サポートバンド吊り下げ布部２と、布部２の下端部に接続されて吊り下げられた環状骨盤サポートバンド３とを有し、吊り下げ布部２は一部において左右分割部分２３を含み、骨盤サポートバンド３は左右分割部分２３に連続する左右分割部分３６を含み、分割部分３６にはバンド３の周長を調節して分割部分３６の左側部分３６１及び右側部分３６２を互いに連結する連結具（フックｆ付きフック支持部３３及びリングｒ付きリング支持部３４１〜３４３）が設けられている骨盤サポートバンド付きズボンＡ。【選択図】  図１
2008196089.tif 000002
【特許請求の範囲】
【請求項１】
人体の下半身に穿いて装着するズボン本体と、該ズボン本体の内部に配置され、ズボン本体穿き口に上端部が接続された環状のサポートバンド吊り下げ布部と、該環状サポートバンド吊り下げ布部の下端部に上端部が接続されて吊り下げられ、下端部が自由下端部とされた伸縮性を有する環状の骨盤サポートバンドとを有し、該ズボン本体の人体への穿き装着により該骨盤サポートバンドを該人体の骨盤周囲に囲繞装着可能である骨盤サポートバンド付きズボンであって、前記サポートバンド吊り下げ布部はその周長方向における一部において上側から前記骨盤サポートバンドへ向け延びる吊り下げ布左右分割部分を含んでおり、前記骨盤サポートバンドは該吊り下げ布左右分割部分に連続して上端部から自由下端部へ延びるバンド左右分割部分を含んでおり、該吊り下げ布左右分割部分の左側部分に前記バンド左右分割部分の左側部分が、該吊り下げ布左右分割部分の右側部分に前記バンド左右分割部分の右側部分がそれぞれ連続しており、該バンド左右分割部分には前記骨盤サポートバンドの周長を調節して該バンド左右分割部分の左側部分及び右側部分を互いに連結するための連結具が設けられており、該骨盤サポートバンドの周長が該連結具により調節された環状状態で前記ズボン本体の人体への穿き装着により該骨盤サポートバンドを該人体の骨盤周囲に囲繞装着可能であることを特徴とする骨盤サポートバンド付きズボン。
【請求項２】
前記サポートバンド吊り下げ布部はズボン装着者の体格に応じて伸縮可能である伸縮性の布部である請求項１記載の骨盤サポートバンド付きズボン。
【請求項３】
前記サポートバンド吊り下げ布部下端部の周方向長さは前記骨盤サポートバンド上端部の周方向長さにあわせてある請求項１又は２記載の骨盤サポートバンド付きズボン。
【請求項４】
前記サポートバンド吊り下げ布部は、メッシュ状の通気性を有する布部であり、前記骨盤サポートバンドには貫通通気孔を分散形成してある請求項１、２又は３記載の骨盤サポートバンド付きズボン。
【請求項５】
前記骨盤サポートバンドは該バンドのズボン本体内での位置決めのために紐でズボン本体に連結してある請求項１、２、３又は４記載の骨盤サポートバンド付きズボン。
【発明の詳細な説明】
【技術分野】
【０００１】
本発明は、人体の下半身に装着するズボン、特に、骨盤サポートバンドを備えた新規なズボンに関する。
【背景技術】
【０００２】
腰痛に苦しむ、所謂腰痛持ちの人のためのサポータとして、或いは、各種運動や作業( 例えば人の介護) 等による腰痛の発生を抑制しようとする人のためのサポータとして、人体の骨盤周囲に装着する骨盤サポータが種々開発、提案されてきた。
【０００３】
例えば、実用新案登録第３０９４６４２号公報は、腰部に装着する腰バンドを開示している。
【０００４】
しかしこのような骨盤サポータは、ズボン、スカート等の通常の衣類とは別個のものとして製作され、使用される、構造が大がかりなものであったため、それなりの使用効果が認められるものの、例えば次ような点で使用しずらい面があった。すなわち、
(1) それを装着した上からさらに、ズボン等を穿くと、外見上膨らみが目立つなど、外見上の体裁が悪くなる、
(2) それを装着すると、動きづらくなり、それを装着した上からさらにズボン等を穿くと、さらに動きづらくなる、
(3) 骨盤サポータを装着したうえに、ズボン等を穿かなければならず、それだけ骨盤サポータの装着、使用が面倒である、
等の点から使用しずい面があった。
【０００５】
この点、特許第３７６９５８２号公報には、人体の下半身に穿いて装着するズボン本体と、該ズボン本体の内部に配置され、ズボン本体穿き口に上端部が接続された環状のサポートバンド吊り下げ布部と、該環状サポートバンド吊り下げ布部の下端部に上端部が接続されて吊り下げられ、下端部が自由下端部とされた伸縮性を有する環状の骨盤サポートバンドとを有し、該ズボン本体の人体への穿き装着により該骨盤サポートバンドを該人体の骨盤周囲に囲繞装着可能である骨盤サポートバンド付きズボンが記載されている。
【０００６】
この骨盤サポート付きズボンによると、ズボン本体を穿くことで、骨盤サポートバンドを、外見上目立たないように、簡易に骨盤周囲に囲繞装着して使用できる。
【０００７】
【特許文献１】実用新案登録第３０９４６４２号公報
【特許文献２】特許第３７６９５８２号公報
【発明の開示】
【発明が解決しようとする課題】
【０００８】
このように特許第３７６９５８２号公報に記載された骨盤サポートバンド付きズボンはそれなりの利点があるが、環状骨盤サポートバンドによる骨盤の締めつけ力を調整したり、環状骨盤サポートバンドの周長を使用者の体格にあわせて調節することができれば、かかる骨盤サポート付きズボンは一層便利で使い易いものになる。
【０００９】
そこで本発明は、人体の下半身に穿いて装着するズボン本体と、該ズボン本体の内部に配置され、ズボン本体穿き口に上端部が接続された環状のサポートバンド吊り下げ布部と、該環状サポートバンド吊り下げ布部の下端部に上端部が接続されて吊り下げられ、下端部が自由下端部とされた伸縮性を有する環状の骨盤サポートバンドとを有し、該ズボン本体の人体への穿き装着により該骨盤サポートバンドを該人体の骨盤周囲に囲繞装着可能である骨盤サポートバンド付きズボンであって、このタイプのズボンの利点をそのまま活かしつつ、骨盤サポートバンドによる使用者骨盤の締め付け力調整や使用者の体格に応じた骨盤サポートバンド周長の調整を行うことができ、それだけ使用し易い骨盤サポートバンド付きズボンを提供することを課題とする。
【課題を解決するための手段】
【００１０】
本発明は前記課題を解決するため、人体の下半身に穿いて装着するズボン本体と、該ズボン本体の内部に配置され、ズボン本体穿き口に上端部が接続された環状のサポートバンド吊り下げ布部と、該環状サポートバンド吊り下げ布部の下端部に上端部が接続されて吊り下げられ、下端部が自由下端部とされた伸縮性を有する環状の骨盤サポートバンドとを有し、該ズボン本体の人体への穿き装着により該骨盤サポートバンドを該人体の骨盤周囲に囲繞装着可能である骨盤サポートバンド付きズボンであって、前記サポートバンド吊り下げ布部はその周長方向における一部において上側から前記骨盤サポートバンドへ向け延びる吊り下げ布左右分割部分を含んでおり、前記骨盤サポートバンドは該吊り下げ布左右分割部分に連続して上端部から自由下端部へ延びるバンド左右分割部分を含んでおり、該吊り下げ布左右分割部分の左側部分に前記バンド左右分割部分の左側部分が、該吊り下げ布左右分割部分の右側部分に前記バンド左右分割部分の右側部分がそれぞれ連続しており、該バンド左右分割部分には前記骨盤サポートバンドの周長を調節して該バンド左右分割部分の左側部分及び右側部分を互いに連結するための連結具が設けられており、該骨盤サポートバンドの周長が該連結具により調節された環状状態で前記ズボン本体の人体への穿き装着により該骨盤サポートバンドを該人体の骨盤周囲に囲繞装着可能である骨盤サポートバンド付きズボンを提供する。
【００１１】
本発明に係るズボンには、例えば、スーツ用ズボン、通勤、通学等に穿く一般的なズボン、各種運動用ズボン、各種作業用ズボン等の各種の長ズボン又は短ズボン等が含まれ、さらには、運動等に使用するスパッツのようなものも本発明に係るズボンに含まれる。
【００１２】
本発明に係る骨盤サポートバンド付きズボンによると、それに設けられている骨盤サポートバンドは、サポートバンド吊り下げ布部を介してズボン本体の穿き口に接続されているから、ズボン本体を穿いて装着することで、該ズボン本体を装着できるとともに併せて骨盤サポートバンドを骨盤周囲に簡易に囲繞装着して使用できる。
【００１３】
骨盤サポートバンドは伸縮性のある構造簡単に済む環状バンド形態のものであり、これが構造簡単に済むサポートバンド吊り下げ布部を介してズボン本体の穿き口に接続されているだけであるから、骨盤サポートバンドの装着は、従来の大がかりな構造の腰部サポータ等と比べると、外見上目立たないように、外見体裁よく装着使用でき、また、それほど動きづらさを招くことなく装着使用できる。
本発明に係る骨盤サポートバンド付きズボンは洗濯して再使用することも可能である。      
【００１４】
サポートバンド吊り下げ布部は、環状に形成されているので、本発明に係るズボンを装着したとき、骨盤サポートバンドの位置を安定させ、骨盤サポートバンドをより容易、確実に人体骨盤周囲に囲繞装着できる。
【００１５】
また、本発明に係る骨盤サポートバンド付きズボンにおいては、サポートバンド吊り下げ布部及び骨盤サポートバンドはいずれも環状のものではあるが、サポートバンド吊り下げ布部はその周長方向における一部において上側から（すなわち布部の上端部或いは上下端部間の中程部分から下へ）前記骨盤サポートバンドへ向け延びる吊り下げ布左右分割部分を含んでおり、骨盤サポートバンドは該吊り下げ布左右分割部分に連続して上端部から自由下端部へ延びるバンド左右分割部分を含んでおり、該吊り下げ布左右分割部分の左側部分に前記バンド左右分割部分の左側部分が、該吊り下げ布左右分割部分の右側部分に前記バンド左右分割部分の右側部分がそれぞれ連続しており、該バンド左右分割部分には前記骨盤サポートバンドの周長を調節して該バンド左右分割部分の左側部分及び右側部分を互いに連結するための連結具が設けられている。
【００１６】
従って、骨盤サポートバンドの左右分割部分に設けられた前記連結具により該バンドの周長を骨盤締めつけ力の調整のためや、使用者の体格にあわせて調節し、そのように周長が調節された環状状態でズボン本体の人体への穿き装着により該骨盤サポートバンドを該人体の骨盤周囲に所望の状態で囲繞装着することができる。
【００１７】
このように本発明に係る骨盤サポートバンド付きズボンは、骨盤サポートバンドによる使用者骨盤の締め付け力調整や使用者の体格に応じた骨盤サポートバンド周長の調整を行うことができ、それにより、一層便利で使い易いものとなっている。
【００１８】
なお、ここで「吊り下げ布左右分割部分」、「吊り下げ布左右分割部分の左側部分」、「吊り下げ布左右分割部分の右側部分」における「左」、「右」とは、該吊り下げ布左右分割部分をズボンの外側から見たときの左、右を指している。
「バンド左右分割部分」、「バンド左右分割部分の左側部分」、「バンド左右分割部分の右側部分」における「左」、「右」についても、該バンド分割部分をズボンの外側から見たときの左、右を指している。
【００１９】
前記サポートバンド吊り下げ布部は、本発明に係るズボンを使い易くするうえで、ズボン装着者の体格に応じて伸縮可能である伸縮性の布部としてもよい。
また、本発明に係るズボンを使い易くするうえで、また、骨盤サポートバンドの位置を安定させるうえで、サポートバンド吊り下げ布部下端部の周方向長さを骨盤サポートバンド上端部の周方向長さにあわせてもよい。
【００２０】
また、サポートバンド吊り下げ布部は、発汗時等のムレを抑制するために例えばメッシュ状の通気性を有する布部としてもよい。
骨盤サポートバンドは、同じく発汗時等のムレを抑制するために例えば貫通通気孔を分散形成したものとしてもよい。
【００２１】
骨盤サポートバンドは該バンドのズボン本体内での位置決めのために紐でズボン本体に連結してもよい。
【発明の効果】
【００２２】
以上説明したように本発明によると、人体の下半身に穿いて装着するズボン本体と、該ズボン本体の内部に配置され、ズボン本体穿き口に上端部が接続された環状のサポートバンド吊り下げ布部と、該環状サポートバンド吊り下げ布部の下端部に上端部が接続されて吊り下げられ、下端部が自由下端部とされた伸縮性を有する環状の骨盤サポートバンドとを有し、該ズボン本体の人体への穿き装着により該骨盤サポートバンドを該人体の骨盤周囲に囲繞装着可能である骨盤サポートバンド付きズボンであって、このタイプのズボンの利点をそのまま活かしつつ、さらに骨盤サポートバンドによる使用者骨盤の締め付け力調整や使用者の体格に応じた骨盤サポートバンド周長の調整を行うことができ、それだけ使用し易い骨盤サポートバンド付きズボンを提供することができる。
【発明を実施するための最良の形態】
【００２３】
以下本発明の実施形態について図面を参照して説明する。
図１は本発明に係るズボンの１例である、様々の用途に使える長ズボンＡの外観正面図である。図２は、該ズボンを裏返した状態のズボン正面側の図であり、図３は該ズボンを裏返した状態のズボン背面側（臀部側）の図である。
【００２４】
図示のズボンＡは、ズボン本体１が比較的柔軟なズボン材料から形成されており、外出衣、各種運動、病人や老人の介護作業等の各種作業などに適するものである。
【００２５】
このズボンＡは、ズボン本体１、ズボン本体内部に配置されてズボン本体１に接続されたサポートバンド吊り下げ布部２及び布部２に接続された骨盤サポートバンド３を含むものである。
ズボン本体１の穿き口１１には、伸縮性部材１１１が縫着されているとともに絞り紐１１２を通してある。
【００２６】
サポートバンド吊り下げ布部２は、メッシュ状の通気性、伸縮性、柔軟性を有する布部であり、全体が環状を呈しており、上端部２１がズボン本体穿き口１１の内周部位に縫着にて接続されている。
【００２７】
骨盤サポートバンド３は、環状を呈しており、伸縮性を有するバンドであり、本例では、ゴム紐に糸を巻き付けた伸縮性紐を編成して形成したものである。骨盤サポートバンド３は、上端部３１がサポートバンド吊り下げ布部２の下端部２２に縫着にて接続され、該布部２から吊り下げられており、下端部３２は自由下端部とされている。
骨盤サポートバンド３にはバンド表裏面に貫通する通気孔３０を多数分散形成してある。
【００２８】
サポートバンド吊り下げ布部２の下端部２２の周方向長さは、骨盤サポートバンド３の上端部３１の周方向長さにあわせてある。
また、骨盤サポートバンド３の後部（臀部側）は該バンドのズボン本体１内での位置決めのために紐３５でズボン本体１に連結してある（図３参照）。紐３５はバンド３の左右部分をズボン本体１へ連結するもの等でもよい。
【００２９】
このズボンＡのサポートバンド吊り下げ布部２及び骨盤サポートバンド３はいずれも基本的には環状に形成されているが、このズボンＡにおいては次のようにして骨盤サポートバンド３の周長を調整できるようにしてある。
【００３０】
これにつき、以下図４、図５等を参照して説明する。図４はズボンＡの上部を拡大して、且つ、ズボン本体１の前側ａ１を一部切欠して示す図である。図５は図４と同様の図であるが、後述する吊り下げ布左右分割部２３の左側部分２３１及びバンド左右分割部分３６における左側部分３６１の端部を捲って示す図である。
【００３１】
図４、図５等に示すように、サポートバンド吊り下げ布部２は、その周長方向における一部（本例ではズボン本体１の前側ａ１に隣り合う前側部分）において、上端部から骨盤サポートバンド３へ向け延びる吊り下げ布左右分割部分２３を含んでいる。骨盤サポートバンド３は該吊り下げ布左右分割部分２３に連続して上端部から自由下端部へ延びるバンド左右分割部分３６を含んでいる。
【００３２】
吊り下げ布左右分割部分２３の左側部分２３１にバンド左右分割部分３６の左側部分３６１が、吊り下げ布左右分割部分２３の右側部分２３２にバンド左右分割部分３６の右側部分３６２がそれぞれ連続している。さらにバンド左右分割部分３６には骨盤サポートバンド３の周長を調節して該バンド左右分割部分の左側部分３６１及び右側部分３６２を互いに連結するための連結具が設けられている。
【００３３】
該連結具は、図４、図５から分かるように、バンド左右分割部分３６の左側部分３６１端部の内面に逢着された一本のフック支持部３３と、バンド左右分割部分３６の右側部分３６２の端部とそれに続く部分の外面（ズボン本体前側部分ａ１の内面に対向する面）に逢着された３本のリング支持部３４１、３４２、３４３を含んでいる。リング支持部３４１、３４２、３４３は所定の間隔をおいて逢着されている。
【００３４】
フック支持部３３には複数本のフックｆが逢着されている。リング支持部３４１、３４２、３４３のそれぞれにはフックｆの数と同数のリングｒが該フックに対応する高さ位置に逢着されている。
【００３５】
フック支持部３３のフックｆはリング支持部３４１、３４２、３４３のうちいずれのリングｒにも脱離可能に係合することができる。
図１、図２、図４にはフック支持部３３のフックｆを一番端にあるリング支持部３４１のリングｒに係合させた状態が示されている。
なお、図６はズボン本体１の前側ａ１及び後ろ側（臀部側）ａ２、サポートバンドつり下げ布部２、骨盤サポートバンド３、それに設けられたフック支持部３３、リング支持部３４１、３４２、３４３、フックｆ、リングr 等相互の位置関係を概略的に示している。      
【００３６】
図１、図２、図４に示される連結状態のとき、環状骨盤サポートバンド３の周長が一番長いものとなる。また、この状態において、サポートバンド吊り下げ布部２下端部の周囲方向長さは環状骨盤サポートバンド３の周長に実質上一致している。
さらに、図１、図２、図４に示される連結状態のとき、吊り下げ布左右分割部分２３の左側部分２３１の端部と右側部分２３２の端部とは相互に僅かに重なり配置され、バンド左右分割部分３６の左側部分３６１の端部と右側部分３６２の端部も相互に僅かに重なり配置される。
【００３７】
フックｆをリング支持部３４２或いは３４３のリングｒに係合させて、より周長の短い環状骨盤サポートバンド３を設定することもできる。
【００３８】
以上説明した骨盤サポートバンド付きズボンＡによると、骨盤サポートバンド３は、サポートバンド吊り下げ布部２を介してズボン本体１の穿き口１１に接続されているから、図７に示すように、使用者Ｂは、ズボン本体１を穿いて装着することで、該ズボン本体１を装着できるとともに、併せて、フック支持部３３とリング支持部３４１、３４３又は３４３とで予め環状とした骨盤サポートバンド３を骨盤周囲に簡易に囲繞装着して使用できる。
【００３９】
骨盤サポートバンド３は伸縮性のある構造簡単に済む環状バンド形態のものであり、これが構造簡単に済むサポートバンド吊り下げ布部３を介してズボン本体１の穿き口１１に接続されているだけであるから、骨盤サポートバンド３の装着は、従来の大がかりな構造の腰部サポータ等と比べると、外見上目立たないように、外見体裁よく装着使用でき、また、それほど動きづらさを招くことなく装着使用できる。
【００４０】
また、サポートバンド吊り下げ布部２は、環状に形成した伸縮性を有する布部であるから、骨盤サポートバンド３を人体骨盤周囲に容易に、精度よく、囲繞装着でき、また、ズボン装着者の体の動きに合わせて伸縮するので、骨盤サポートバンド３を設けてある割りにはズボンＡの穿き心地がよいという利点もある。
【００４１】
また、ズボンＡにおいては、サポートバンド吊り下げ布部２及び骨盤サポートバンド３はいずれも環状のものではあるが、サポートバンド吊り下げ布部２はその周長方向における一部において上端部から骨盤サポートバンド３へ向け延びる吊り下げ布左右分割部分２３を含んでおり、骨盤サポートバンド３は該部分２３に連続して上端部から自由下端部へ延びるバンド左右分割部分３６を含んでおり、バンド左右分割部分３６にはフック支持部３３及び複数のリング支持部３４１、３４２、３４３を含む連結具が設けてあり、該フック支持部３３のフックｆをリング支持部３４１、３４２、３４３のいずれかのリングｒに係合させることで、そのリング支持部の位置に応じた周長の環状骨盤サポートバンド３を得ることができる。
【００４２】
従って、骨盤サポートバンド３の左右分割部分３６に設けられた前記の連結具により該バンド３の周長を調整して、使用者骨盤の締め付け力を調整したり、使用者の体格にあわせた周長の骨盤サポートバンド３を設定したりすることができ、そのように周長が調節された状態でズボン本体１の人体への穿き装着により該骨盤サポートバンド３を該人体の骨盤周囲に所望の状態で囲繞装着することができる。
【００４３】
このように骨盤サポートバンド付きズボンＡは、骨盤サポートバンド３による骨盤締め付け力を調整したり、使用者の体格に応じた骨盤サポートバンド周長を得たりすることができ、それにより、一層便利で使い易いものとなっている。
【００４４】
さらに、サポートバンド吊り下げ布部２はメッシュ状の通気性を有する布部であり、骨盤サポートバンド３には多数の通気孔３０を形成してあるから、発汗時等のムレを抑制することができる。
また、骨盤サポートバンド付きズボンＡは洗濯して再使用することも可能である。
【００４５】
以上説明した骨盤サポートバンド付きズボンＡは、所謂腰痛持ちの人の腰痛抑制、或いは腰痛持ちであった人の腰痛再発の抑制、各種運動や作業( 例えば人の介護) 等を行う人の腰痛発生の抑制等に利用することができる。
【００４６】
なお、以上説明した実施形態では、連結具としてフック支持部３３とリング支持部３４１、３４２、３４３とを含むものを用いたが、連結具は、所謂面状ファスナを利用したもの、紐を利用したもの、スライドファスナを利用したもの等各種のものを採用できる。
【産業上の利用可能性】
【００４７】
本発明は、骨盤サポートバンドを簡易に装着できる骨盤サポートバンド付きズボンの提供に利用できる。
【図面の簡単な説明】
【００４８】
【図１】本発明に係る骨盤サポートバンド付きズボンの１例の外観正面図である。
【図２】図１に示すズボンを裏返した状態のズボン正面側の図である。
【図３】図１に示すズボンを裏返した状態のズボン背面側（臀部側）の図である。
【図４】図１に示すズボンの上部を拡大して、且つ、ズボン本体の前側部分を一部切欠して示す図である。
【図５】図１に示すズボンの上部を拡大して、且つ、ズボン本体の前側部分を一部切欠して、さらにバンド左右分割部分における左側部分の端部を捲って示す図である。
【図６】ズボン本体の前側及び後ろ側（臀部側）、サポートバンドつり下げ布部、骨盤サポートバンド、それに設けられたフック支持部及びリング支持部、さらにフック、リング等の相互の位置関係を概略的に示す図である。
【図７】図１に示すズボンの使用状態例を示す図である。
【符号の説明】
【００４９】
Ａ  骨盤サポートバンド付きズボン
１  ズボン本体
１１  ズボン本体の穿き口
１１１  伸縮性部材
１１２  絞り紐
２  サポートバンド吊り下げ布部
２１  布部２の上端部
２２  布部２の下端部
２３  吊り下げ布左右分割部分
２３１  分割部分２３の左側部分
２３２  分割部分２３の右側部分
３  骨盤サポートバンド
３０  バンド３の通気孔
３１  バンド３の上端部
３２  バンド３の下端部
３３  フック支持部
ｆ  フック
３４１、３４２、３４３  リング支持部
ｒ  リング
３５  紐
３６  バンド左右分割部分
３６１  部分３６の左側部分
３６２  部分３６の右側部分
Ｂ  ズボン装着者
【図１】
2008196089.tif 000003
【図２】
2008196089.tif 000004
【図３】
2008196089.tif 000005
【図４】
2008196089.tif 000006
【図５】
2008196089.tif 000007
【図６】
2008196089.tif 000008
【図７】
2008196089.tif 000009